(57)【特許請求の範囲】
【請求項１】
ドア（２）の下部に取り付け可能な取付基板（５）と、この取付基板（５）に基端部（７）が上下揺動自在に枢着されかつ床面（４）に対する当接部（２３）を先端側に有する突っ張り脚（６）と、を備えており、この突っ張り脚（６）の当接部（２３）を床面（４）に当接させることで前記ドア（２）が閉鎖方向へ移動するのを阻止する突っ張り姿勢（Ａ）と、同突っ張り脚（６）を上方へ揺動させることにより前記当接部（２３）が床面（４）から離脱する突っ張り解除姿勢（Ｂ）とに切り換え自在となっているドアストッパーにおいて、
前記突っ張り脚（６）の基端部（７）に出退自在な突出ピン（２６）が設けられ、この突出ピン（２６）は、その出退方向が前記突っ張り脚（６）の長手方向と一致し、かつ、その突出側へ付勢された状態で前記突っ張り脚（６）の基端縁（６Ａ）から出退自在となっており、
前記取付基板（５）に、前記突出ピン（２６）の突出端部（２７）が引っ掛かることにより前記突っ張り脚（６）を突っ張り解除姿勢（Ｂ）に保持する被係止部（２８）が設けられ、
前記取付基板（５）に、前記突出ピン（２６）の突出端部（２７）が摺接する湾曲状の摺接面（３８）が設けられ、この摺接面（３８）は、前記突っ張り脚（６）を前記取付基板（５）に枢着するための枢着軸（２０）の軸心を中心とした円弧状に形成されていることを特徴とするドアストッパー。
【請求項２】
ドア（２）の下部に取り付け可能な取付基板（５）と、この取付基板（５）に基端部（７）が上下揺動自在に枢着されかつ床面（４）に対する当接部（２３）を先端側に有する突っ張り脚（６）と、を備えており、この突っ張り脚（６）の当接部（２３）を床面（４）に当接させることで前記ドア（２）が閉鎖方向へ移動するのを阻止する突っ張り姿勢（Ａ）と、同突っ張り脚（６）を上方へ揺動させることにより前記当接部（２３）が床面（４）から離脱する突っ張り解除姿勢（Ｂ）とに切り換え自在となっているドアストッパーにおいて、
前記突っ張り脚（６）の基端部（７）に出退自在な突出ピン（２６）が設けられ、この突出ピン（２６）は、その出退方向が前記突っ張り脚（６）の長手方向と一致し、かつ、その突出側へ付勢された状態で前記突っ張り脚（６）の基端縁（６Ａ）から出退自在となっており、
前記取付基板（５）に、前記突出ピン（２６）の突出端部（２７）が引っ掛かることにより前記突っ張り脚（６）を突っ張り解除姿勢（Ｂ）に保持する被係止部（２８）が設けられ、
前記突出ピン（２６）とこのピン（２６）を突出側へ付勢するための圧縮ばね（３０）が筒状に形成された突っ張り脚（６）の基端部（７）内に収納され、当該突っ張り脚（６）を取付基板（５）に枢着するための枢着軸（２０）が前記突出ピン（２６）に形成された突っ張り脚（６）の長手方向に長い長孔（３５）に挿通されていることを特徴とするドアストッパー。
【発明の詳細な説明】
【０００１】
【発明の属する技術分野】
本発明は、ドアを開放状態に保持しておくためのドアストッパーに関する。
【０００２】
【従来の技術】
例えば、マンションや一戸建て住宅その他の建物の玄関ドアは、一般に、油圧力やばね力で作動するドアクローザーによって常に閉鎖方向に付勢されており、このような常に閉鎖方向に付勢されたドアを荷物の搬入出や通風等の際に開放状態に保持しておくために、ドアストッパーが設けられることがある。
【０００３】
かかるドアストッパーは、通常、ドアの下部に取り付け可能な取付基板と、この取付基板に基端部が上下揺動自在に枢着されかつ床面に対する当接部を先端側に有する突っ張り脚と、を備えており、この突っ張り脚の当接部を床面に当接させることでドアが閉鎖方向へ移動するのを阻止する突っ張り姿勢と、同突っ張り脚を上方へ揺動させることにより当接部が床面から離脱する突っ張り解除姿勢とに切り換え自在となっている（例えば、実公平７−１２５９０号公報参照）。
【０００４】
そして、従来では、上記突っ張り脚を突っ張り解除姿勢に保持するための保持手段として、筒状に形成された突っ張り脚の基端部の左右両側に形成した長孔から径外方向に突出するよう同基端部内に内装された係止ばねと、取付基板の左右両側壁における突っ張り脚が上方揺動したときに前記係止ばねと対応する位置に形成されたばね係止部と、から構成されたものが採用されている（上記公報の図１〜図３参照）。
【０００５】
【発明が解決しようとする課題】
上記従来の保持手段では、筒状に形成された突っ張り脚の基端部自体に一対の長孔を切削加工する必要があるので、製作コストが高くなるとともに、その長孔の形成部分において当該突っ張り脚の強度が低下することになるので、所定の強度を確保するために突っ張り脚全体を太く形成する必要があり、この点で材料コストが高くなるという欠点がある。
【０００６】
また、従来のドアストッパーでは、突っ張り脚を枢着するための枢着軸は取付基板に対して遊挿されているだけで、突っ張り脚が何ら抵抗のない状態で取付基板に枢着されているので、突っ張り脚を突っ張り姿勢にするときに係止ばねをばね係止部から外すと、突っ張り脚が急激に下方へ揺動してその当接部が床面と衝突することになる。
【０００７】
このため、従来のストッパーでは、突っ張り脚を突っ張り姿勢にしたときの衝撃によって、例えば取付基板を磁力で固定している場合には当該ドアストッパーがドアから外れることがあり、また、その衝撃によって突っ張り脚の枢着部が早期にがたついて騒音発生の原因となることがある。
【０００８】
そこで、本発明の課題は、突っ張り脚の基端部に長孔を形成しなくても同突っ張り脚を突っ張り解除姿勢に確実に保持できるようにして、ドアストッパーの製作コスト及び材料コストを低減する点にある。
また、本発明の課題は、突っ張り脚をゆっくりと下方揺動させるようにして、ドアストッパーがドアから不意に外れたり早期に損傷するのを未然に防止できるようにする点にある。
【０００９】
【課題を解決するための手段】
上記課題を達成するために、本発明は次の技術的手段を講じた。
すなわち、本発明は、前記したドアストッパーにおいて、突っ張り脚の基端部に、その突っ張り脚の長手方向に出退自在な突出ピンが当該突っ張り脚の基端縁から突出しかつその突出側へ付勢された状態で設けられ、取付基板に、前記突出ピンの突出端部が引っ掛かることにより前記突っ張り脚を突っ張り解除姿勢に保持する被係止部が設けられていることを特徴とする。
【００１０】
本発明によれば、突っ張り脚を突っ張り解除姿勢に保持するための保持手段が、突っ張り脚の基端縁から突出する上記突出ピンと、この突出ピンの突出端部が引っ掛かるように取付基板に設けられた被係止部とから構成されているので、突っ張り脚の基端部に従来のような長孔を形成しなくてもその突っ張り脚を突っ張り解除姿勢に確実に保持できるようになる。
【００１１】
また、本発明は、前記取付基板に、突出ピンの突出端部が摺接する湾曲状の摺接面が設けられ、この摺接面は、前記突っ張り脚を前記取付基板に枢着するための枢着軸の軸心を中心とした円弧状に形成されていることを特徴とする。
この場合、突っ張り脚が下方へ揺動する際に突出ピンの突出端部が摺接面の円弧形状に沿って摺接し、同突っ張り脚がブレーキ作用を受けながら下方揺動することになるので、突っ張り脚をゆっくりと下方揺動させることができる。
【００１２】
一方、突っ張り脚の基端部には同脚を取付基板に枢着するための枢着軸が径方向に挿通されるので、この枢着軸と突出ピンとの干渉を避ける必要がある。しかし、この枢着軸との干渉を避けるために突出ピン全体を細く形成してしまうと、突出ピンの突出端部が早期に磨耗して被係止部に適切に引っ掛からなくなる恐れがある。
【００１３】
そこで、本発明は、枢着軸と干渉させないで突っ張り脚の基端部に突出ピンを収納する手段として、突出ピンとこのピンを突出側へ付勢するための圧縮ばねを筒状に形成された突っ張り脚の基端部内に収納し、当該突っ張り脚を取付基板に枢着するための枢着軸を前記突出ピンに形成された突っ張り脚の長手方向に長い長孔に挿通することを推奨する。
【００１４】
この場合、枢着軸が突出ピンに形成した長孔に挿通されているので、突出ピンの突出端部を突っ張り脚の基端部の内径とほぼ同じ外径にして被係止部に対する当接面積を広く取ることができ、これによって当該突出端部が早期に磨耗するのを未然に防止することができる。
【００１５】
【発明の実施の形態】
以下、図面を参照しつつ、本発明の実施の形態について説明する。
図１に示すように、本実施形態のドアストッパー１は、例えば室外側に開く鋼製のドア２の室内側面３の下部に固定して使用されるもので、突っ張り脚６の当接部２３を床面４に当接させることでドア２が閉鎖方向へ移動するのを阻止する突っ張り姿勢（図１の状態及び図３の一点鎖線の状態）Ａと、突っ張り脚６を上方へ揺動させることにより当接部２３が床面４から離脱する突っ張り解除姿勢（図３の二点鎖線の状態）Ｂとに切り換え自在となっている。
【００１６】
なお、本実施形態のドアストッパー１は、室内側へ開くドア２の場合にはその室外側面に取り付けることもできる。
本実施形態のドアストッパー１は、上記ドア２の下部に取り付け可能な取付基板５と、この取付基板５に基端部７が上下揺動自在に枢着されかつ床面４に対する当接部２３を先端側に有する突っ張り脚６と、を備えている。
【００１７】
図３に示すように、取付基板５は、ＡＢＳ樹脂等のプラスチックよりなるケーシング１０と、当該取付基板５の取付面１１側に収納された鋼製の保持筒体１２と、この保持筒体１２の内部に収納されたドーナツ型の永久磁石１３と、ケーシング１０の中央部に収納されたダイキャスト製の軸受け部材１４と、を備えている。
【００１８】
このうち、ケーシング１０は、その取付面１１側（図３の左側）が開口した中空円盤状の大径部１５と、この大径部１５の反取付面１１側から同軸心状に膨出するように一体形成された小径部１６とからなり、その大径部１５内に永久磁石１３を内部に有する前記保持筒体１２が収納されている。
【００１９】
図１及び図２に示すように、ケーシング１０の小径部１６は縦方向の溝部１７を中央部に備えており、この溝部１７内に突っ張り脚６の基端部７が上下揺動自在に収納されている。図３に示すように、この小径部１６内には前記軸受け部材１４が埋め込まれており、この軸受け部材１４は、上記溝部１７の底面を構成する底壁部１８と、同溝部１７の左右両側面を構成すべく底壁部１８の左右両側に立設された支持ブラケット１９と、を備えている。
【００２０】
軸受け部材１４の各支持ブラケット１９には突っ張り脚６の基端部７を径方向（図２の左右方向）に貫通する枢着軸２０が回動自在に架設され、これにより、突っ張り脚６がケーシング１０の小径部１６に対して上下揺動自在に枢着されている。
このように、本実施形態では、ケーシング１０の小径部１６における枢着軸２０の支持部分だけを金属製の軸受け部材１４で構成し、ケーシング１０の他の部分をプラスチック製にしたので、ケーシング１０全体を金属製にしたものに比べて材料コストを大幅に低減することができる。
【００２１】
前記保持筒体１２は、ケーシング１０の大径部１５よりも一回り小さいお盆形に形成され、その開口縁側を取付面１１側に向けるようにして大径部１５内に収納されている。このため、保持筒体１２内の永久磁石１３による磁束がその開口縁に集中するので、取付基板５の取付面１１を鋼製のドア２に接触させるだけで、取付基板５をドア２に対して強固に固定することができる。
【００２２】
本実施形態の突っ張り脚６は、鋼製の中空パイプ材より構成されており、枢着軸２０を介して取付基板５に枢着された前記基端部７と、同パイプ材の中途部分を下方に屈曲してなる屈曲部２２と、この屈曲部２２よりも更に先端側に位置する床面４に対する当接部２３と、を備えており、この当接部２３にはゴム製の滑り止め部材２４が外嵌されている。
【００２３】
図３に示すように、本実施形態のドアストッパー１は、突っ張り脚６を前記突っ張り解除姿勢Ｂに保持するための保持手段２５を備えており、この保持手段２５は、突っ張り脚６の基端部７内に収納された突出ピン２６と、突っ張り脚６が上方へ揺動したときに突出ピン２６の突出端部２７が引っ掛かるように取付基板５側に形成された被係止部２８とからなる。
【００２４】
図４に示すように、上記突出ピン２６は、断面円形に形成されたプラスチック製の短円柱部材よりなり、突っ張り脚６の基端縁６Ａから突出しかつその突出側へ付勢された状態で突っ張り脚６の基端部７内に出退自在に収納されている。
すなわち、この突出ピン２６は、突っ張り脚６の基端部７内に嵌め込まれた断面中空円形のガイド筒体２９の上部開口側に出退自在に挿通され、このガイド筒体２９内の下部側には、当該突出ピン２６を突出側へ付勢するための圧縮ばね３０が収納されている。
【００２５】
突出ピン２６の突出端部２７は、側面から見て丸みを帯びた山形に形成されており、突出ピン２６の反突出側面には、前記圧縮ばね３０が外嵌された連結ピン３１と、左右一対のガイド脚３２が一体に連結されている。
この各ガイド脚３２の先端部はガイド筒体２９の左右両側に設けたガイドスリット３３に挿通されており、これによって突出ピン２６のガイド筒体２９内における出退移動が拗れなくスムーズに行われるようにしている。また、圧縮ばね３０の一端はガイド筒体２９の底部３４に当接しており、これによって突出ピン２６を突出側に付勢するようにしている。
【００２６】
突出ピン２６の中央部には、当該突出ピン２６を径方向に貫通しかつ突っ張り脚６の長手方向に長い長孔３５が形成され、この長孔３５に、突っ張り脚６を取付基板５に枢着するための前記枢着軸２０が挿通されている。
このように、本実施形態では、枢着軸２０が突出ピン２６に形成した長孔３５に挿通されているので、突出ピン２６の突出端部２７を突っ張り脚６の基端部７の内径（図例ではガイド筒体２９の内径）とほぼ同じ外径にすることで被係止部２８に対する当接面積を可及的に広く取っており、これによって当該突出端部２７が早期に磨耗するのを未然に防止するようにしている。
【００２７】
図３及び図４に示すように、本実施形態の被係止部２８は、前記軸受け部材１４の底壁部１８の下部を前方（図３の右側）に突出してなる下壁部３７の前端面によって構成され、この下壁部３７の前端面に上方へ揺動した突っ張り脚６の突出ピン２６の突出端部２７が引っ掛かることにより、当該突っ張り脚６を蹴り上げ状態（図３の突っ張り解除状態Ｂ）に保持できるようになっている。
【００２８】
また、図３に示すように、この下壁部３７は、下方に揺動した突っ張り脚６の基端部７に当接して同突っ張り脚６を傾斜状態に保持するストッパー片としての機能も有しており、この傾斜状の突っ張り姿勢Ａとなった突っ張り脚６の当接部２３が床面４に当接することにより、ドア２の閉鎖方向への移動が阻止されることになる。
【００２９】
更に、本実施形態のドアストッパー１では、取付基板５を構成する軸受け部材１４の底壁部１８に、突出ピン２６の突出端部２７が摺接する円弧状に湾曲して形成された摺接面３８が設けられている。
図３に示すように、この摺接面３８は枢着軸２０の軸心を中心とした円弧状に形成され、この摺接面３８の曲率半径は枢着軸２０の軸心から突出端部２７の最先端縁までの距離よりも若干小さくなるように設定されている。
【００３０】
このため、突っ張り脚６が枢着軸２０回りに下方揺動する際には、突出ピン２６の突出端部２７が摺接面３８に摺接することにより、当該突っ張り脚６がブレーキ作用を受けながら下方揺動するようになっている。
【００３１】
次に、上記構成に係るドアストッパー１の使用方法及び作用を説明する。
まず、取付基板５の取付面１１側をドア２の室内側面３に密着させ、永久磁石１３の磁力によりドアストッパー１をドア２の室内側面３の下部に取り付けるようにする。
そして、かかるドアストッパー１を使用しない場合には、突っ張り脚６を上方へ揺動させて突出ピン２６を被係止部２８に引っ掛けておき、当該突っ張り脚６を図３の二点鎖線で示す突っ張り解除姿勢Ｂに保持しておく。
【００３２】
一方、荷物の搬入出や通風等のためドア２を開放状態に保持したいときは、上記突っ張り解除姿勢Ｂにある突っ張り脚６を強制的に下方へ揺動させるようにする。
すると、突出ピン２６が圧縮ばね３０に抗してガイド筒体２９内に没入して同ピン２６の突出端部２７が被係止部２８から外れ、突出ピン２６の突出端部２７が摺接面３８に摺接しながら、突っ張り脚６がその自重でゆっくりと下方へ揺動する。
【００３３】
このように、突出ピン２６が被係止部２８から外れるときに圧縮ばね３０に抗してガイド筒体２９内に没入するので、突出ピン２６の突出端部２７が被係止部２８から過大な力を受けることがなく、このため、その突出端部２７が早期に磨耗するのが防止され、突出ピン２６による突っ張り脚６の上方保持機能を長期に渡って確保することができる。
【００３４】
また、突出ピン２６の摺接面３８に対する摺接に伴うブレーキ作用により突っ張り脚６がゆっくりと下方揺動するため、突っ張り脚６の当接部２３が床面４から受ける衝撃が和らげられ、永久磁石１３の磁力で固定されている取付基板５がドア２から不意に外れるのが未然に防止される。
その後、突っ張り脚６はその基端部７が軸受け部材１４の下壁部３７の前端面に当接した時点で下方へ揺動しなくなって図３に一点鎖線で示す突っ張り姿勢Ａとなり、この突っ張り姿勢Ａとなった突っ張り脚６の当接部２３が床面４に当接することにより、ドア２の開放が阻止されることになる。
【００３５】
なお、突出ピン２６の突出端部２７が被係止部２８に引っ掛かるまで突っ張り脚６を手又は足で上方へ揺動させることにより、当該突っ張り脚６を突っ張り解除姿勢Ｂに戻すことができる。
【００３６】
本発明は上記した各実施形態に限定されるものではない。
例えば、上記実施形態では、取付基板５をドア２に取り付ける手段として永久磁石１３の磁力を利用しているが、同取付基板５は接着剤やねじ止め等の固定手段によってドア２に取り付けることもできる。
また、突出ピン２６は、ガイド筒体２９を設けないで突っ張り脚６の基端部７内に出退自在に挿通することにしてもよい。
【００３７】
【発明の効果】
本発明によれば、突っ張り脚の基端部に長孔を形成しなくても同突っ張り脚を突っ張り解除姿勢に確実に保持できるので、ドアストッパーの製作コスト及び材料コストを低減することができる。
【００３８】
また、本発明によれば、突出ピンの突出端部が摺接面に摺接することにより突っ張り脚がゆっくりと下方揺動するので、ドアストッパーがドアから不意に外れたり早期に損傷するのを未然に防止することができる。
【図面の簡単な説明】
【図１】ドアの下部に取り付けられたドアストッパーの斜視図である。
【図２】同ドアストッパーの平面図である。
【図３】図２のＡ−Ａ線から見た取付基板の断面図である。
【図４】図２のＡ−Ａ線から見た突っ張り脚の基端部の断面図である。
【符号の説明】
１      ドアストッパー
２      ドア
４      床面
５      取付基板
６      突っ張り脚
６Ａ    基端縁
７      基端部
２０      枢着軸
２３      当接部
２６      突出ピン
２７      突出端部
２８      被係止部
３０      圧縮ばね
３５      長孔
３８      摺接面
Ａ      突っ張り姿勢
Ｂ      突っ張り脚解除姿勢
【図１】
0004106641.tif 000002
【図２】
0004106641.tif 000003
【図３】
0004106641.tif 000004
【図４】
0004106641.tif 000005